(57)【特許請求の範囲】
【請求項１】
窓部及びこの窓部の上部側に換気口を備える家屋の外側に、前記換気口に対向して設けられたユニット本体と、
このユニット本体内に設けられ、外気を吸い込む外気用ファンと、
前記ユニット本体内に設けられ、前記換気口から排出される排気を導入させて第１の排出部から排気流として排出する第１の流路、及び前記外気用ファンによって吸い込まれた外気を導入して第２の排出部から外気流として排出する第２の流路とを具備し、
前記排気流は前記窓部の外面に沿うように排出され、前記外気流は前記排気流の外側に沿ってエァーカーテンを形成するように排出されることを特徴とする送風ユニット。
【請求項２】
前記ユニット本体内の第１の流路内に換気用ファンを設けたことを特徴とする請求項１記載の送風ユニット。
【請求項３】
前記ユニット本体の下方部に離間対向して吸引機器を設け、前記第１の排出部から排出される排気流、及び前記第２の排出部から排出される外気流を前記吸引機器により吸引することを特徴とする請求項１または２のいずれかに記載の送風ユニット。
【請求項４】
前記吸引機器は、ヒートポンプ式空気調和機の室外機に設けられ、室内熱交換器へと送風する室外ファンであることを特徴とする請求項３に記載の送風ユニット。
【発明の詳細な説明】
【技術分野】
【０００１】
本発明は、例えば、住宅の窓部の結露を防止する送風ユニットに関する。
【背景技術】
【０００２】
一般に、住宅の窓部はサッシ枠とこのサッシ枠に取り付けられる窓ガラスとによって構成されるが、サッシ枠は気密性に優れるため、特に、冬場においては、室内外の温度差により窓部の室内側表面に結露が生じるという問題があった。
【０００３】
そこで、従来においては、換気の排気熱を利用して窓部の外側表面を暖めて露点温度以上とすることにより、結露を防止することが考えられている（例えば、特許文献１参照。）。
【先行技術文献】
【特許文献】
【０００４】
【特許文献１】特開昭６３−２３６８８７号公報
【発明の概要】
【発明が解決しようとする課題】
【０００５】
しかしながら、従来においては、換気の排熱流のみで結露を防止していたため、換気の風量が多量に必要となり、換気による室内からの暖房排熱量（ロス）が大きくなり、暖房を行う空調機の負荷が増大し、エネルギー消費量が多くなるという問題があった。
【０００６】
本発明は上記事情に着目してなされたもので、その目的とするところは、少ないエネルギー消費量で、窓部の結露を防止できるようにした送風ユニットを提供することにある。
【課題を解決するための手段】
【０００７】
上記の課題を解決するために、請求項１記載の発明は、窓部及びこの窓部の上部側に換気口を備える家屋の外側に、前記換気口に対向して設けられたユニット本体と、このユニット本体内に設けられ、外気を吸い込む外気用ファンと、前記ユニット本体内に設けられ、前記換気口から排出される排気を導入させて第１の排出部から排気流として排出する第１の流路、及び前記外気用ファンによって吸い込まれた外気を導入して第２の排出部から外気流として排出する第２の流路とを具備し、前記排気流は前記窓部の外面に沿うように排出され、前記外気流は前記排気流の外側に沿ってエァーカーテンを形成するように排出されることを特徴とする。
【発明の効果】
【０００８】
本発明によれば、少ないエネルギー消費量で、窓部の結露を防止することができる。
【図面の簡単な説明】
【０００９】
【図１】本発明の一実施の形態である送風ファンを窓部の上部側に取り付けた状態を示す概略的構成図。
【図２】図１の送風ユニットの第１及び第２の排出部を示す下面図。
【図３】図１の換気用ファンの他の例を示す図。
【図４】図１の送風ユニットの第１及び第２の排出部の他の例を示す下面図。
【図５】図１の送風ユニットの下方部に空調機の室外機を設置した例を示す図。
【発明を実施するための形態】
【００１０】
以下、本発明を図面に示す実施の形態を形態して詳細に説明する。
【００１１】
図１は、本発明の一実施の形態である送風ユニット１を家屋の窓部４の屋外上部側に取り付けた状態を示す側断面図である。
【００１２】
窓部４はサッシ枠５とこのサッシ枠５に取り付けられた窓ガラス６とによって構成されている。また、窓部４の上部側の室内側の壁体３には換気口７が開設され、この換気口７には換気用ファン８が取り付けられている。送風ユニット１は、換気口７に対向する状態で設けられている。
【００１３】
送風ユニット１はユニット本体１１を有し、このユニット本体１１内は仕切り壁１２によって第１の室１３と第２の室１４に仕切られている。第１の室１３内には、室内の換気口７及び換気用ファン８に連通する第１の流路１６が形成され、第２の室１４内には屋外に連通する第２の流路１７が形成されている。第２の流路１７の入口側には、外気を吸込むための外気用ファン２１が設けられている。
【００１４】
また、ユニット本体１１内の第１の室１３と第２の室１４の底面部には、第１及び第２の排出部（ノズルやオリフィスなど）１９，２０が設けられ、これら第１及び第２の排出部１９，２０は、上記した第１及び第２の流路１６，１７に連通されている。
【００１５】
第１及び第２の排出部１９，２０は、図２に示すようにユニット本体１１の幅方向に沿って所定間隔を存して配列される複数個の吹出口１９ａ，２０ａを有している。これら吹出口１９ａ，２０ａは同軸二重円管形状をなし、その内外の風速比を１より大としている。ここで、内外の風速比とは、「内側の吹出口の風速」／「外側の吹出口の風速」を意味する。したがって、内外の風速比が１より大とは、「内側の吹出口の風速」＞「外側の吹出口の風速」を意味している。なお、内外の風速比を１より大とするには、第１及び第２の排出部１９，２０の形状を調整するなどの手段が考えられる。
【００１６】
第１の排出部１９の吹出口１９ａから排出される排気は、窓部４のサッシ枠５と窓ガラス６に沿う排気流となり、第２の排出部２０の吹出口２０ａから排出される外気は、排気流の外側に沿う外気流となる。
【００１７】
上記した構成において、換気用ファン８及び外気用ファン２１が回転されると、図１に矢印で示すように、屋内空気が換気口７を介して送風ユニット１の第１の流路１６内に排出されるとともに、外気が第２の流路１７内に吸い込まれる。第１の流路１６内に排出された排気は、第１の排出部１９の排出口１９ａから窓部４に沿う排気流ａとして噴出されてサッシ枠５と窓ガラス６を外側から温め、その結露の発生を防止する。
【００１８】
一方、第２の流路１７内に吸い込まれた外気は、第２の排出部２０の排出口２０ａから外気流ｂとしては排気流ａの外側に沿ってエアーカーテンを形成するように噴出される。このエアーカーテンの形成により、排気流ａの拡散が遅延されることになり、現状の建築基準法に定められている室内における所定時間内の最低の換気回数による排気流量でもサッシ枠５、及び窓ガラス６の結露の防止を図ることが可能となる。この結果、室内の暖かい空気の排気量が低減でき、空調機の負荷をそれほど増加させることがないため、省エネになる。
【００１９】
また、送風ユニット１の吹出口１９ａ，２０ａは、それぞれ同軸二重円管形状をなし、その内外の風速比を１より大としたため、それぞれの同軸二重円の内側から吹き出される排気流ａ及び外気流ｂの大規模な渦生成を抑制でき、全体の拡散を遅らせることができる。これにより、吹き出される排気流ａ及び外気流ｂを吹出し方向へとより遠くまで飛ばすことができ、長尺（掃きだし）の窓ガラスなど、ほとんどの窓ガラス、サッシ枠の結露を防止することが可能となる。
【００２０】
なお、結露防止のためにサッシ枠５、窓ガラス６に熱線式の機器を取り付けて対応することがあるが、この実施の形態では換気の排気(流)熱を有効利用するだけであるため、大幅な省エネが可能となる。
【００２１】
また、結露防止により室内の湿度低下を抑制できるとともに、結露水へのカビや菌の増殖も抑制でき、健康被害を未然に防止することができる。
【００２２】
なお、上記した一実施の形態では、既設の換気扇の排気流を利用したが、これに限られることなく、図３に示すように送風ユニット１の第１の流路１６内に排気用ファン２２を搭載して換気するようにしても良い。これによれば、室内側に換気用ファン８を設けることなく、送風ユニット１自体に換気機能と結露防止機能を持たせて多機能化を図ることができ、施工工事も容易になる。
【００２３】
また、上記した一実施の形態では、送風ユニット１の吹出口１９ａ，２０ａを同軸二重円管形状としたが、これに限られることなく、図４に示すように吹出口１９ｂ，２０ｂを矩形状に形成しても良い。この実施の形態では、矩形状の吹出口１９ｂ，２０ｂの長手方向を窓ガラス面に平行に、短手方向を垂直に設置する。これにより、長手方向では拡散が抑制され、短手方向では長手方向より拡散しやすい性質を利用して、短手方向側の拡散を窓ガラスでのコアンダ効果を利用することで、より拡散を遅延してより遠くまで気流を飛ばすことが可能となる。
【００２４】
さらに、吹出口を十文字状に形成するようにしても良い。この場合には、窓ガラスのコアンダ効果が無くとも、十文字の形状による流れの性質上、遠くまで気流を飛ばすことが可能となるため、ガラス面と吹出口との距離を大きく取る事が可能となり、据付制約が少なくなる。
【００２５】
また、図５に示すように、送風ユニット１の下方部に空気を吸引する吸引機器としてのダクト２５を備えたヒートポンプ式空気調和機の室外機２６を設けるようにしても良い。
【００２６】
ダクト２５はその上面部に吸込口２５ａを有するとともに前面部に吹出口２５ｂを有し、内部には吸込口２５ａと吹出口２５ｂとを連通させる流路２７が形成されている。ダクト２５はその吸込口２５ａを送風ユニット１の第１及び第２の排出部１９，２０にほぼ対向させている。室外機２６はその背面側にダクト２５の吹出口２５ｂに対向する吸込口２６ａを有し、前面部には吹出口２６ｂを有している。室外機２６の内部には送風機２９、及び室外熱交換器３０が配設されている。
【００２７】
上記したヒートポンプ式空気調和機が稼動されて室外機２６の送風機２９が回転されると、ダクト２５の吸込口２５ａに吸引力が発生する。送風ユニット１の第１及び第２の排出部１９，２０から吹き出されてサッシ枠５、窓ガラス６に沿って下方に向かう排気流ａ及び外気流ｂは、室外機２６の送風機２９の回転により、ダクト２５の吸込口２５ａから強制的に吸引されて流路２７を介して室外機２６内に吸い込まれる。この吸い込まれた換気排気流ａ及び外気流ｂは、室外熱交換器３０で熱交換されて吹出口２６ｂから吹き出されることになる。ここで、室内熱交換器３０を通過する空気には、排気流ａによる室内からの高温の排気が含まれるため、室内熱交換器３０における熱交換量（吸熱量）が増加し、ヒートポンプ式空気調和機の暖房運転時の効率が向上する。
【００２８】
この実施の形態によれば、送風ユニット１の下方部に吸引機器を設けない場合と比較して、送風ユニット１より噴流した換気排気流ａと外気流ｂの外側への広がりを少なくしてサッシ枠５、窓ガラス６により近接させて噴出することができ、より一層確実にサッシ枠５、窓ガラス６への結露を防止することが可能となる。
【００２９】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【符号の説明】
【００３０】
４…窓部、７…換気口、８，２２…換気用ファン、１１…ユニット本体、１６，１７…第１及び第２の流路、１９，２０…第１及び第２の排出部、１９ａ，２０ａ…吹出口、２１…外気用ファン、２６…室外機２６（吸引機器）、ａ…排気流、ｂ…外気流。
【図１】
0005386311.tif 000002
【図２】
0005386311.tif 000003
【図３】
0005386311.tif 000004
【図４】
0005386311.tif 000005
【図５】
0005386311.tif 000006